【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
メッセンジャーがインストールされたコンピュータに実行させるプログラムであって、
取引権限を有するマスターと、取引に対する承認権限を有するメンバーとが関連付けられた共有口座による取引の依頼を受け付けることと、
前記取引に対して事前承認が必要である場合、前記メッセンジャーによって、前記メンバーに対して事前承認依頼を送信することと、
前記事前承認依頼に対する前記メンバーからの応答が前記メッセンジャーによって受信されたことに基づき、前記共有口座によって、前記事前承認された前記取引に関する処理を実行することとが前記コンピュータによって実行される。
【請求項２】
請求項１に記載のプログラムであって、
前記メッセンジャーの友達リストから前記マスターによって指定された友達を前記メンバーとして登録することが前記コンピュータによって実行される。
【請求項３】
請求項１または２に記載のプログラムであって、
前記取引は、事前承認規則に基づいて、前記共有口座によって実行され、
前記事前承認規則は、前記事前承認が必要な取引に関する取引条件を含む。
【請求項４】
請求項３に記載のプログラムであって、
前記取引条件は、取引業種カテゴリ、取引金額、および取引時間の少なくとも１つを含む。
【請求項５】
請求項３または４に記載のプログラムであって、
前記事前承認規則は、前記事前承認の有効性に関する有効承認処理条件を含む。
【請求項６】
請求項５に記載のプログラムであって、
前記有効承認処理条件は、有効承認したメンバー数、メンバー数の割合、および応答時間の少なくとも１つを含む。
【請求項７】
請求項５または６に記載のプログラムであって、
前記取引に関する処理を実行することは、前記事前承認依頼に対する応答が前記有効承認処理条件を満たす場合、前記共有口座に対して前記事前承認された取引を許諾することを含む。
【請求項８】
請求項３から７の何れか一項に記載のプログラムであって、
前記事前承認規則は、前記共有口座に対する取引類型毎に設定される。
【請求項９】
請求項１から８の何れか一項に記載のプログラムであって、
前記事前承認依頼は、前記共有口座による前記取引のために指定された取引金額と取引目的とのうちの少なくとも１つを含む。
【請求項１０】
請求項１から９の何れか一項に記載のプログラムであって、
前記事前承認依頼は、前記取引の依頼に関する決済依頼情報を含む。
【請求項１１】
請求項１から１０の何れか一項に記載のプログラムであって、
前記共有口座の取引をモニタリングし、不正使用条件に対応する取引を前記メッセンジャーによって前記メンバーに通知することが前記コンピュータによって実行される。
【請求項１２】
請求項１１に記載のプログラムであって、
前記モニタリングは、前記共有口座の取引のうち、前記事前承認されなかった前記取引をモニタリングし、取引時間と取引位置とのうちの少なくとも１つに基づいて前記共有口座の不正使用を判断することを含む。
【請求項１３】
請求項１から１２の何れか一項に記載のプログラムであって、
前記マスターによる前記共有口座に関連する設定変更依頼を受け付けることと、
前記設定変更依頼に関する前記事前承認依頼を前記メッセンジャーによって前記メンバーに通知することとが前記コンピュータによって実行される。
【請求項１４】
請求項１から１３の何れか一項に記載のプログラムであって、
前記マスターによる前記共有口座のメンバーに対する削除または追加要請を受け付けることと、
メンバー削除または追加に対する前記事前承認依頼を前記メッセンジャーによって前記メンバーに通知することとが前記コンピュータによって実行される。
【請求項１５】
請求項１から１３の何れか一項に記載のプログラムであって、
前記マスターによって選択されたメンバーを、前記共有口座の取引権限を有する一時的なマスター代行として設定することが前記コンピュータによって実行される。
【請求項１６】
請求項１５に記載のプログラムであって、
前記マスター代行として設定することは、前記マスター代行の権限が有効となる取引類型、業種カテゴリ、時間、および金額の少なくとも１つを設定することが前記コンピュータによって実行される。
【請求項１７】
請求項１５または１６に記載のプログラムであって、
前記マスター代行の設定に対する事前承認依頼を、前記メッセンジャーによって前記メンバーに通知することが前記コンピュータによって実行される。
【請求項１８】
メッセンジャーがインストールされたコンピュータの情報処理方法であって、
取引権限を有するマスターと、取引に対する承認権限を有するメンバーとが関連付けられた共有口座による取引の依頼を受け付けることと、
前記取引に対して事前承認が必要である場合、前記メッセンジャーによって、前記メンバーに対して事前承認依頼を送信することと、
前記事前承認依頼に対する前記メンバーからの応答が前記メッセンジャーによって受信されたことに基づき、前記共有口座によって、前記事前承認された前記取引に関する処理を実行することとを含む。
【請求項１９】
メッセンジャーがインストールされた端末であって、
メモリに記憶されたプログラムを読み出し、前記プログラムに基づく処理を実行するプロセッサーを備え、
前記プロセッサーは、
取引権限を有するマスターと、取引に対する承認権限を有するメンバーとが関連付けられた共有口座による取引の依頼を受け付けることと、
前記取引に対して事前承認が必要である場合、前記メッセンジャーによって、前記メンバーに対して事前承認依頼を送信することと、
前記事前承認依頼に対する前記メンバーからの応答が前記メッセンジャーによって受信されたことに基づき、前記共有口座によって、前記事前承認された前記取引に関する処理を実行することとを実行する。
【手続補正２】
【補正対象書類名】明細書
【補正対象項目名】発明の名称
【補正方法】変更
【補正の内容】
【発明の名称】プログラム、情報処理方法、および端末  
【手続補正３】
【補正対象書類名】明細書
【補正対象項目名】０００９
【補正方法】変更
【補正の内容】
【０００９】
メッセンジャーがインストールされたコンピュータに実行させるプログラムであって、取引権限を有するマスターと、取引に対する承認権限を有するメンバーとが関連付けられた共有口座による取引の依頼を受け付けることと、前記取引に対して事前承認が必要である場合、前記メッセンジャーによって、前記メンバーに対して事前承認依頼を送信することと、前記事前承認依頼に対する前記メンバーからの応答が前記メッセンジャーによって受信されたことに基づき、前記共有口座によって、前記事前承認された前記取引に関する処理を実行することとが前記コンピュータによって実行される。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
メッセンジャーがインストールされたコンピュータの情報処理方法であって、取引権限を有するマスターと、取引に対する承認権限を有するメンバーとが関連付けられた共有口座による取引の依頼を受け付けることと、前記取引に対して事前承認が必要である場合、前記メッセンジャーによって、前記メンバーに対して事前承認依頼を送信することと、前記事前承認依頼に対する前記メンバーからの応答が前記メッセンジャーによって受信されたことに基づき、前記共有口座によって、前記事前承認された前記取引に関する処理を実行することとを含む。
【手続補正２２】
【補正対象書類名】明細書
【補正対象項目名】００２８
【補正方法】変更
【補正の内容】
【００２８】
メッセンジャーがインストールされた端末であって、メモリに記憶されたプログラムを読み出し、前記プログラムに基づく処理を実行するプロセッサーを備え、前記プロセッサーは、取引権限を有するマスターと、取引に対する承認権限を有するメンバーとが関連付けられた共有口座による取引の依頼を受け付けることと、前記取引に対して事前承認が必要である場合、前記メッセンジャーによって、前記メンバーに対して事前承認依頼を送信することと、前記事前承認依頼に対する前記メンバーからの応答が前記メッセンジャーによって受信されたことに基づき、前記共有口座によって、前記事前承認された前記取引に関する処理を実行することとを実行する。